(57)【要約】【課題】室内への化学物質等の侵入を有効に防止でき、化学物質過敏症患者の発症を十分に押えることができる家屋及びその家屋に用いられる建築用プラスタボードの提供。【解決手段】家屋１の内壁３がアルミニウムシート２５、活性炭ボード２３、プラスタボード２７及び珪藻土層２９を屋外側から屋内側にこの順序で備え、珪藻土層２９を内装材としているとともにアルミニウムシート２５は澱粉糊で接着してあり、プラスタボード２７は活性炭の間に挟んで少なくとも７日間以上養生したものである。【選択図】  図１
2005016129.tif 000002
【特許請求の範囲】
【請求項１】
部屋の内壁がアルミニウムシート、活性炭ボード、プラスタボード及び珪藻土層を屋外側から屋内側にこの順序で備え、珪藻土層を内装表面材としているとともにアルミニウムシートは澱粉糊で接着してあり、プラスタボードは活性炭の間に挟んで少なくとも７日間以上養生したものであることを特徴とする部屋。
【請求項２】
部屋の天井がアルミニウムシート、活性炭ボード及び和紙を屋外側から屋内側にこの順序で備え、和紙を内装表面材としているとともに和紙及びアルミニウムシートは澱粉糊で接着してあることを特徴とする部屋。
【請求項３】
部屋の床がアルミニウムシート、活性炭粉末を含有する和紙及び広葉樹材を屋外側から屋内側にこの順序で備え、広葉樹材を内装表面材としているとともにアルミニウムシートと和紙は澱粉糊で接着してあることを特徴とする部屋。
【請求項４】
請求項１に記載の壁と、請求項２に記載の天井と、請求項３に記載の床とを備えることを特徴とする部屋。
【請求項５】
請求項１〜４のいずれか１項に記載のアルミニウムシートがアース接続されていることを特徴とする部屋。
【請求項６】
請求項１〜５のいずれか１項に記載の各層で内壁を成し、内壁の外側にある空間内の雰囲気を換気していることを特徴とする部屋。
【請求項７】
請求項１〜６のいずれか１項に記載の部屋に用いられるプラスタボード。
【発明の詳細な説明】
【発明の属する技術分野】
本発明は、化学物質過敏症患者用の部屋（いわゆるシックハウス）及びその部屋の施工に用いられる建築用プラスタボードに関する。
【従来の技術】
この種の部屋として、特許文献１には、内壁にプラスタボードを用い、プラスタボードに粉末竹炭（活性炭）を下塗りし、珪藻土を上塗りした構成が開示されている。
また、特許文献２には、床下や部屋内部の通気性を高めるために、床下及び部屋内部及び天井裏の雰囲気を屋根から外に排気する構成が開示されている。
【０００１】
【特許文献１】
特開２００２−２２７３２４号公報
【特許文献２】
特開２００３−３５８４号公報
【０００２】
【発明が解決しようとする課題】
しかし、特許文献１の技術では、通過する空気（雰囲気）に対しては活性炭により化学物質（ホルムアルデヒド等の溶剤、揮発性物質、防虫剤の他、花粉やＮＯｘガス等を含む、以下「化学物質」とは同じ意味で用いる）を吸着することができるが、流動性の低い雰囲気に対しては化学物質の吸着効果が小さいという問題がある。また、外壁に用いられている断熱材や、プラスタボード自体に多くの化学物質を含むため、粉末竹炭を従来のプラスタボードに下塗りするだけでは、室内への化学物質の侵入を十分に防止することができないという問題がある。
また、特許文献２では、室内雰囲気の排気により壁等から室内に染み出た化学物質の排気を行うことができるが、外から化学物質が室内に入ってくるため、化学物質過敏症の抑制を図るには十分でない。
更に、近年は化学物質のみでなく、地上に散乱する電波や電磁波等も化学物質過敏症の原因となっており、化学物質過敏症患者にとってはこのような電波や電磁波に対しても室内へ侵入を防止することが望まれている。
そこで、本発明は、室内への化学物質等の侵入を有効に防止でき、化学物質過敏症患者の発症を十分に押えることができる部屋及びその部屋に用いられるプラスタボードの提供を目的とする。
【課題を解決するための手段】
請求項１に記載の発明は、部屋の内壁がアルミニウムシート、活性炭ボード、プラスタボード及び珪藻土層を屋外側から屋内側にこの順序で備え、珪藻土層を内装表面材としているとともにアルミニウムシートは澱粉糊で接着してあり、プラスタボードは活性炭の間に挟んで少なくとも７日間以上養生したものであることを特徴とする。
この請求項１に記載の発明では、活性炭ボードにより内壁や内壁近傍の雰囲気中にある化学物質を吸着し或いは捕捉する。そして、活性炭ボードよりも室外側にある化学物質は、アルミニウムシートにより遮蔽されて室内側に侵入するのが阻止される。特に、アルミニウムシートにより活性炭ボードの室外側を遮蔽することにより、外壁で使用されている建築材や接着剤に含まれている化学物質が室内側へ侵入するのを阻止する。
また、アルミニウムシートにより室外に散乱する電波や電磁波を遮蔽し、これらを要因とする広義での化学物質敏感症を抑制することができる。
プラスタボード自体にも化学物質が存在することが多いため、この発明に用いられるプラスタボードは、活性炭材の間に挟んで７日以上養生することにより、プラスタボードに含有される化学物質濃度を低減し且つ脱臭する。このように処理したプラスタボード（以下「脱臭処理したプラスタボード」という）は、実際に化学物質症患者に臭いを嗅ぐ試験をおこなったところ、８人中全員に発症や不快感がなかった。
プラスタボードは、家屋における室内の内装用基材として用いられ、この基材の表面に珪藻土が塗られる。
珪藻土は自然素材であるからそれ事態に化学物質を含むことがほとんどなく、しかも化学物質や湿気等の空気中物質を吸収する作用を有するので、室内に微弱な化学物質がある場合にもそれを吸収することができる。
したがって、本発明の壁を有する部屋においては、外気あるいは部屋の外装材にある化学物質が室内に進入することを防止でき、化学物質症患者の発症や不快感を防止できる。
請求項２に記載の発明は、部屋の天井がアルミニウムシート、活性炭ボード及び和紙を屋外側から屋内側にこの順序で備え、和紙を内装表面材としているとともに和紙及びアルミニウムシートは澱粉糊で接着してあることを特徴とする。
この請求項２に記載の発明では、天井の活性炭ボード、アルミニウムシート、プラスタボードのそれぞれは、請求項１に記載のものと同様の作用効果を奏するとともに、天井の表面に珪藻土を塗るのは困難であるから、内装表面材として和紙を用いることにより施工が容易にできる。
尚、和紙は澱粉糊でプラスタボードに貼ることが望ましい。澱粉糊は自然素材として化学物質をほとんど含まないからである。
請求項３に記載の発明は、部屋の床がアルミニウムシート、活性炭粉末を含有する和紙及び広葉樹材を屋外側から屋内側にこの順序で備え、広葉樹材を内装表面材としているとともにアルミニウムシートと和紙は澱粉糊で接着してあることを特徴とする。
この請求項３に記載の発明では、アルミニウムシートは、請求項１に記載のものと同様に、アルミニウムシートにより活性炭粉末を含有する和紙の室外側を遮蔽し、外壁で使用されている建築材や接着剤に含まれている化学物質が室内側へ侵入するのを阻止する作用効果を奏するとともに、活性炭粉末を含有する和紙を使用することにより、活性炭の化学物質吸着効果を得ることができる。また、床の表面材として広葉樹材を用いることにより、床材としての強度を得ることができるとともに、一般に広葉樹材は、呼吸量が針葉樹に比較して少ないため樹液も少なく、樹液に含有する化学物質、特に、防虫剤物質等を少なくできる。これに対して、針葉樹では、一般にヒノチオール等の防虫物質を多く含み、化学物質症患者の発症の原因となるが、広葉樹を用いることによって、このような化学物質症患者の発症を防止できる。尚、広葉樹材としては、例えば、かえで材等がある。
請求項４に記載の発明は、請求項１に記載の壁と、請求項２に記載の天井と、請求項３に記載の床とを備えることを特徴とする。
この請求項４に記載の発明では、室内の床、天井、壁の四方において、化学物質が室内に侵入するのを防止しているので、化学物質がほとんど存在し難い室内空間を提供することができ、化学物質症患者にとって安全で、安らぎの空間を与えることができる。
請求項５に記載の発明は、請求項１〜４のいずれか一項に記載の発明において、請求項１〜４のいずれか１項に記載のアルミニウムシートがアース接続されていることを特徴とする。
この請求項５に記載の発明では、請求項１〜４に記載の発明と同様の作用を奏するとともに、空気中の電波や電磁波を有効に遮蔽するとともに、アルミニウムシートの帯電を防止できる。
請求項６に記載の発明は、請求項１〜５のいずれか１項に記載の各層で内壁を成し、内壁の外側にある空間内の雰囲気を換気していることを特徴とする。
この請求項６に記載の発明では、請求項１〜５に記載の発明と同様の作用を奏するとともに、内壁の外側にある雰囲気を換気することにより、内壁の外側が負圧になり、内壁の外側の雰囲気や外壁に含まれている化学物質や活性炭ボードに捕捉されている化学物質が室内側に向かうことがなく、化学物質に対して気密性の高い室内空間を提供することができる。
請求項７に記載の発明は、請求項１〜６のいずれか１項に記載の部屋に用いられるプラスタボードである。
この請求項７に記載の発明では、上述したように化学物質を十分に除去して脱臭することができ、化学物質症患者の部屋に用いることにより、かかる患者の発症や不快感を防止できる。しかも、簡易な方法でプラスタボードに含まれている化学物質を低減することができる。
【発明の実施の形態】
以下に添付図面を参照して、本発明の実施の形態を詳細に説明する。図１は図４に示すＡ部の縦断面図であり、図２は図４に示すＢ部の縦断面図であり、図３は図４に示すＣ部の縦断面図であり、図４は本発明の実施の形態にかかる家屋の概略構成図である。
本実施の形態に係る家屋１は、図４に示すように、複数の部屋を有しており、その一つの部屋２に本発明にかかる壁３、天井５、床７が施工されているとともに家屋全体に換気システム９が施されている。この実施の形態では、家屋１の改築工事により一つの部屋２を施工したものである。
壁３は、外壁１１と内壁１３とから構成されており、外壁１１と内壁１３との間には空間１５が形成されている。外壁１１は既存のものであり、外壁１１はサイディング等の外装材１７と防水シート１６とで構成されている。内壁１３の室外側には断熱材１９及びプラスタボード１８が設けられており、断熱材１９はグラスウールである。
内壁１３において、プラスタボード１８の室内側には、順に、ビニールクロス２１、アルミニウムシート２５、活性炭ボード２３、プラスタボード２７、珪藻土２９を備えている。
活性炭ボード２３は、厚み約２０ｍｍの竹炭ボードを用いている。この活性炭ボード２３は、竹炭粉を固めたものであり、竹炭粉にお茶殻を混えたものを用いてもよい。
アルミニウムシート２５はいわゆるアルミニウム箔である。また、アルミニウムシート２５はアース３１により接地している。
プラスタボード２７は、それぞれ前処理を施して脱臭（脱化学物質）したものであり、前処理は、プラスタボード２７を活性炭ボード２３、２３の間に挟んで７日間以上常温で養生したものを用いている。プラスタボード２７の前処理工程で、活性炭ボード２３に挟んで７日以上養生することにより、プラスタボード２７に含まれている化学物質を十分低減でき、内壁１３から室内側に化学物質が染み出すのを防止できる。
また、プラスタボード２７は珪藻土２９の下地材として用いており、このプラスタボード２７の室内側表面に珪藻土２９が塗工されている。
以下に、天井５及び床７について説明するが、上述した壁３と同一の作用効果を奏する部分には、同一の符号を付することによりその部分の詳細な説明を省略し、以下の説明では上述した壁３と異なる点のみを詳細に説明する。
天井５では、天井野縁３０の下側にプラスタボード１８、ビニールクロス２１、アルミニウムシート２５、活性炭ボード２３及び和紙３１を屋外側から屋内側にこの順序で備え、和紙３１を内装表面材としているとともに和紙３１は澱粉糊で既存のビニールシート２１に接着してあり、活性炭ボード２３はプラスタボード１８にビス止めされている。
天井５の内装表面材として和紙３１を用いることにより、天井５には珪藻土を塗り難く、和紙３１を張ることにより施工が容易にできる。
床７は、床根太３２の上に合板材（合板フローリング張り）２８が設けてあり、合板材２８の上にアルミニウムシート２５、活性炭粉末を含有する和紙３４及び広葉樹材３３を屋内側にこの順序で備え、広葉樹材３３を内装表面材としているとともにアルミニウムシート２５と和紙３４は澱粉糊で接着してある。広葉樹板３３としては、本実施の形態では具体的にかえでの板材である。この広葉樹板３３は、澱粉糊を塗布した釘（又はビス）で下地材に打ち止めしてあり、下地のアルミニウムシート２５と釘（又はビス）との間に隙間が生じるのを防止してある。和紙３４は袋状にして活性炭粉末を収納したものであってもよいし、和紙３４の繊維に埋め込んだものであってもよい。
尚、各アルミニウムシート２５は互いに電気的に接続されており、壁３のアルミニウムシート２５からアースされている。各プラスタボード２７や活性炭ボード２３のジョイント部分は澱粉糊によりシールしている。
また、各壁３、天井５、床７において、内壁１３の外側にある空間１５は、後述する換気システム９に通気されて、減圧になっている。
ここで、換気システム９について説明する。換気システム９は２４時間換気するものであり、家屋１に配置された送風機３７のダクト３９により室外が負圧になっている。部屋にはフィルタ４１を配置した換気口４３が設けられており、室内が常時負圧になって、フィルタ４１を通過した新鮮な外気を取り入れている。
ダクト３９は、天井裏４５のほか、各壁３、天井５、床７における空間１５に連通しており、空間１５を常時負圧にしている。
次に、上述した実施の形態の施工及び作用について説明する。
施工の際には、部屋の改築であるから、既存の内壁を除去して、各内壁１３を外側から順次施工していくが、本実施の形態では、壁３、天井５及び床７において、アルミニウムシート２５の外側に既存の内壁材を残しており、アルミニウムシート２５により既存部分と改築部分とを分けて、アルミニウムシート２５の室内側に化学物質が侵入しないようにしているとともに、建築材に化学物質を含まないものを用い且つ仮に微量の化学物質があっても室内側に化学物質が放出するのを防止し、あるいは室内の化学物質を吸収するものである。
即ち、活性炭ボード２３はアルミニウムシート２５により、室内側にある部材２７、２９に含まれ又はその周囲にある化学物質や室内側の雰囲気中にある化学物質を吸着し或いは捕捉する。そして、活性炭ボード２３より外側の空間にある化学物質は、アルミニウムシート２５により遮蔽されて室内側に侵入するのが阻止される。
また、アルミニウムシート２５により室外に散乱する電波や電磁波を遮蔽してアースする。このように電波や電磁波を遮蔽することにより、これらを要因とする広義での化学物質敏感症を抑制することができる。
プラスタボード２７は、活性炭材の間に挟んで養生してあり、プラスタボードに含有される化学物質濃度は十分低減してあるので、プラスタボードからの化学物質の溶出を阻止することができる。
珪藻土２９は、化学物質や湿気等の空気中物質を吸収するとともにマイナスイオンを発生し、室内浄化作用をも有する。
活性炭含有の和紙３４は、活性炭ボード２３と同様な作用効果を奏するとともに、不定形であるから釘等の打ち込みもでき、施工し易い。
したがって、本実施の形態にかかる部屋では、外気あるいは部屋の外装材に含まれている化学物質が室内に侵入することを防止でき、且つ室内に化学物質を放出しないとともに室内に侵入した化学物質を低減できるので、化学物質症患者の発症や不快感を防止できる。特に、内壁１３の外側を負圧としているので、外壁１１や外から侵入してくる化学物質が室内に侵入することがなく、化学物質に対する気密度が高い。
【発明の効果】
請求項１〜３に記載の発明によれば、外気あるいは部屋の外装材にある化学物質が室内に進入することを防止でき、化学物質症患者の発症や不快感を防止できる。
請求項４に記載の発明によれば、室内の床、天井、壁の四方において、化学物質が室内に侵入するのを防止しているので、化学物質がほとんど存在し難い室内空間を提供することができ、化学物質症患者にとって安全で、安らぎの空間を与えることができる。
請求項５に記載の発明によれば、請求項１〜４に記載の発明と同様の作用を奏するとともに、空気中の電波や電磁波を有効に遮蔽するとともに、アルミニウムシートの帯電を防止できる。
請求項６に記載の発明によれば、請求項１〜５に記載の発明と同様の作用を奏するとともに、内壁の外側を雰囲気を換気することにより、内壁の室外側が負圧になり、室外側空間や内壁に含まれている化学物質や活性炭ボードに捕捉されている化学物質が室内側に向かうことがなく、化学物質に対して気密性の高い室内空間を提供することができる。
請求項７に記載の発明によれば、建築材として一般に用いられているプラスタボード中の化学物質を除去及び脱臭することができ、化学物質症患者の部屋に用いることにより、かかる患者の発症や不快感を防止できる。しかも、簡易な方法でプラスタボードに含まれている化学物質を低減することができる。
【図面の簡単な説明】
【図１】図４に示すＡ部の縦断面図である。
【図２】図４に示すＢ部の縦断面図である。
【図３】図４に示すＣ部の縦断面図である。
【図４】本発明の実施の形態にかかる家屋の概略図である。
【符号の説明】
３    壁
５    天井
７    床
９    換気システム
１３  内壁
２３  活性炭ボード
２５  アルミニウムシート
２７  プラスタボード
２９  珪藻土層
３１  和紙
３３  広葉樹板
３４  活性炭含有和紙
【図１】
2005016129.tif 000003
【図２】
2005016129.tif 000004
【図３】
2005016129.tif 000005
【図４】
2005016129.tif 000006